【手続補正書】
【提出日】平成21年1月26日(2009.1.26)
【手続補正１】
【補正対象書類名】明細書
【補正対象項目名】００２６
【補正方法】変更
【補正の内容】
【００２６】
また、上記錠剤保持ピン１１２は、上述のように、４つの錠剤定数供給部１２ａ〜１２ｄにそれぞれ対応して４箇所に配設されているが、その配設箇所に応じてそれぞれ上昇時の最上点が異なっている。即ち、計数ディスク１１の回転方向に沿って最も上流側の錠剤定数供給部１２ａ配設位置（図２参照）では、図１２（Ａ），（Ｂ）に示されているように、各錠剤保持ピン１１２の先端が計数ディスク１１の上面とほぼ一致する位置まで上昇し、錠剤定数供給部１２から供給される扁平錠剤ｔを計数孔１１１の上端部分で受け止めるようになっており、また計数ディスク１１の回転方向に沿った２番目の錠剤定数供給部１２ｂ配設位置（図２参照）では、図１３（Ａ），（Ｂ）に示されているように、計数孔１１１内に収容された１個の錠剤ｔを計数ディスク１１の上面とほぼ一致する高さに押し上げる位置まで上昇し、この錠剤ｔにより錠剤定数供給部１２から供給される扁平錠剤ｔを計数孔１１１の上端部分で受け止めるようになっており、計数ディスク１１の回転方向に沿った３番目の錠剤定数供給部１２ｃ配設位置（図２参照）では、図１４（Ａ），（Ｂ）に示されているように、計数孔１１１内に収容された２個の錠剤ｔを上側の錠剤が計数ディスク１１の上面とほぼ一致する高さに押し上げる位置まで上昇し、この上側の錠剤ｔにより錠剤定数供給部１２から供給される扁平錠剤ｔを計数孔１１１の上端部分で受け止めるようになっており、更に計数ディスク１１の回転方向に沿って４番目の錠剤定数供給部１２ｄ配設位置（図２参照）では、図１５（Ａ），（Ｂ）に示されているように、計数孔１１１内に収容された３個の錠剤ｔを最上位置の錠剤が計数ディスク１１の上面とほぼ一致する高さに押し上げる位置まで上昇し、この最上位置の錠剤ｔにより錠剤定数供給部１２から供給される扁平錠剤ｔを計数孔１１１の上端部分で受け止めるようになっている。
【手続補正２】
【補正対象書類名】明細書
【補正対象項目名】００４６
【補正方法】変更
【補正の内容】
【００４６】
本実施例充填装置の上記充填部２を構成する上記充填ディスク２１には、上述のように、上記収容穴２１１が一列５個で３列に整列して形成された収容穴群からなる収容穴部が９０度ずつ変位して４箇所に形成されており（図９参照）、この充填ディスク２１が所定速度で９０度ずつ間歇回転するようになっている。そして図８に示されているように、該充填ディスク２１は、その周縁部の一部が上記計数ディスク１１の周縁部の上に重なり合うように配設されていると共に、この部分と１８０度変位した位置でも上記カプセル分離／結合部３のボディディスク３２の上に重なり合うように配設されている。そして、回転動作が間歇的に停止したとき、上記計数ディスク１１との重なり合い部分では、充填ディスク２１の上記収容穴２１１と計数ディスク１１の上記計数穴１１１とが一致した連通状態となり、また上記ボディディスク３２との重なり合い部分では、充填ディスク２１の上記収容穴２１１とボディディスク３２のボディ保持穴３２１とが一致した連通状態となるようになっている。
【手続補正３】
【補正対象書類名】明細書
【補正対象項目名】００５６
【補正方法】変更
【補正の内容】
【００５６】
まず、ホッパー１６（図１，５参照）にランダムに投入された扁平錠剤ｔがボウルフィーダ１５の錠剤収容部１５１上に連続的に供給され、その扁平錠剤ｔが微振動により錠剤収容部１５１上を図６中の矢印方向に移動して、順次錠剤収容部１５１上に形成された上記姿勢制御溝１５２内に進入し、図７に示されているように、この姿勢制御溝１５２内を進行しながら、直立姿勢に姿勢制御され、直立姿勢でコイルホース１５３内へと連続的に落下していく。
【手続補正４】
【補正対象書類名】明細書
【補正対象項目名】００５８
【補正方法】変更
【補正の内容】
【００５８】
そして、最上流側の錠剤定数供給部１２ａでは、図１２（Ａ）に示されているように、まず計数ディスク１１の下側に配設された上記錠剤保持ピン１１２が上昇して各計数孔１１１内に進入し、その先端が計数ディスク１１の上面とほぼ一致する位置で停止する。この状態で、図１２（Ｂ）に示されているように、図示しない駆動源により移送プレート１４３下面のシャッター板１４５がスライドして各錠剤保持穴１４４の下端面が開放し、各扁平錠剤ｔが直立状態で上記姿勢変換ブロック１３の各姿勢変換通路１３１内に投入され、該姿勢変換通路１３１内を落下し上記曲線部（図４参照）で平伏状態に姿勢変換して上記各計数孔１１１の直上に送られ、上記錠剤保持ピン１１２に受け止められる。次いで、図１２（Ｃ）に示されているように、上記錠剤保持ピン１１２が降下して錠剤ｔが平伏状態で計数孔１１１の底部に保持されると共に、錠剤保持ピン１１２が計数孔１１１から退去し、この状態で、計数ディスク１１が間歇回転して、この錠剤ｔが収容された各計数孔１１１が次の錠剤定数供給部１２ｂの配設箇所へと搬送される。
【手続補正５】
【補正対象書類名】明細書
【補正対象項目名】００６５
【補正方法】変更
【補正の内容】
【００６５】
このとき、各収容穴２１１内に進入した上記各供給時錠剤押えピン２６の先端が各扁平錠剤群の最上位置の扁平錠剤ｔに当接し、各供給時錠剤押えピン２６が自重によって各扁平錠剤群を上から押さえ、この状態のまま各扁平錠剤群は各供給時錠剤押えピン２６を押し上げながら、上記各収容穴２１１内に送入され、最下位置の扁平錠剤が上記錠剤保持部材２４配設位置に達したところで、この最下位置の錠剤が該錠剤保持部材２４により挟持され、各扁平錠剤群が収容穴２１１内に保持される。
【手続補正６】
【補正対象書類名】明細書
【補正対象項目名】００７５
【補正方法】変更
【補正の内容】
【００７５】
このように、本実施例のカプセルへの錠剤充填装置では、収容穴２１１の下端部に配設した錠剤保持部材２４（錠剤保持手段）の挟持部２４４で、４個の扁平錠剤ｔが平伏状態で積重した扁平錠剤群の最下位置の錠剤の周縁部を挟持して該扁平錠剤群を収容穴２１１内に保持し、またこの錠剤保持部材２４による上記最下位置の錠剤周縁部の挟持状態を解除して、扁平錠剤群をカプセルボディｍに落とし込むようになっている。このため、図２０に示した従来の装置のように、即ち扁平錠剤ｔを収容した穴状の収容部ｆ下端面をスライド運動するシャッター板ｇにより開閉する場合のように、下端面が一側方から徐々に開いていく開放動作とは異なり、本実施例の装置では、周縁部が挟持されて保持されていた扁平錠剤ｔがその挟持状態が一時に解除されて保持状態が解除されるため、この最下位置の錠剤ｔに回転させるような力が作用することなく、またシャッター板開閉時のように摩擦による回転力が作用することもなく、平伏状態のまま確実に扁平錠剤ｔの保持状態を解除してカプセルボディｍへと落とし込むことができるものである。
【手続補正７】
【補正対象書類名】明細書
【補正対象項目名】００７７
【補正方法】変更
【補正の内容】
【００７７】
更に、上記計数ディスク１１から充填ディスク２１へと扁平錠剤群を移送する際には、下側に配置された計数ディスク１１の計数孔１１１から上側に配置された充填ディスク２１の収容穴２１１へと扁平錠剤群を下から持ち上げて移送するように構成されており、またその際に上記供給時錠剤押えピン２６で扁平錠剤群を上から押えながら上方へと持ち上げるようになっているため、計数ディスク１１から充填ディスク２１へと扁平錠剤群が移送される際にも、扁平錠剤ｔが立位状態となることが可及的に防止される。
【手続補正８】
【補正対象書類名】明細書
【補正対象項目名】００８０
【補正方法】変更
【補正の内容】
【００８０】
なお、本発明は上記実施例に限定されるものではなく、各部の構成は本発明の要旨を逸脱しない範囲で種々変更して差し支えない。例えば、上記実施例では、図１２〜図１５を参照して説明したように、錠剤保持ピン１１２の上昇高さを上昇幅を変えることにより変更するようにしているが、各錠剤定数供給部１２ａ〜１２ｄの配設位置に応じて錠剤保持ピン１１２の長さを変更し、上昇幅を一定としてもよい。また、上記カプセル分離／結合部３は、分離したカプセルボディｍを充填ディスク２１の各収容穴２１１の直下に配置することができるものであれば、どのような機構であってもよく、３つの搬送ドラム３３１〜３３３、キャップディスク３１及びボディディスク３２を用いた機構以外のものでもよく、公知のカプセル分離／結合機構を適宜選択して用いることができる。更に、上記実施例では、４箇所の錠剤定数供給部１２ａ〜１２ｄを設け、各錠剤定数供給部１２ａ〜１２ｄから異種の扁平錠剤を１つずつ供給して４種類の扁平錠剤を１つずつ合計４個の扁平錠剤をカプセルボディに充填するようにしたが、錠剤定数供給部の数や各錠剤定数供給部での供給個数は、適宜設定することができ、例えば１箇所の錠剤定数供給部で、上記移送プレート１４３の往復動作を所定回数繰り返して所定個数の扁平錠剤を供給し、同種の扁平錠剤を所定個数計数して上記計数ディスク１１に収容するようにしてもよい。また更に、その他の構成についても本発明の要旨の範囲内で種々変更して差し支えない。